(57)【要約】【課題】  車載オーディオ設置ボックスパネルに設置した高価な、埋め込み式カーテレビ、又は埋め込み式カーナビゲーション、又は埋め込み式カーステレオなど、オプションを車外から簡単に識別できないようにして、窃盗の被害可能性を軽減すること。【解決手段】  車載オーディオ設置ボックスパネルに設置した高価な、埋め込み式カーテレビ、又は埋め込み式カーナビゲーション、又は埋め込み式カーステレオ等の、コントロールパネルのように、剥き出した部分の上から車載オーディオコントロールパネル防犯カバーを覆うように設置することにより、この課題を解決する。車載オーディオコントロールパネル防犯カバーとは図１の車載オーディオコントロールパネルカバーベース２一般的でかつ高価な仕様でないカセット式カーステレオ又はＭＤ式カーステレオ又はＣＤ式カーステレオなどのダミーコントロールパネル３ダミーフタ４である。【選択図】図１
2007161223.tif 000002
【特許請求の範囲】
【請求項１】
車載の埋め込み式テレビ又は埋め込み式ナビゲーション又は埋め込み式カーステレオのコントロールパネルを覆うように取り付けたことを特徴とするカバー。
【請求項２】
カバーの形状が一般的でかつ高価でない、カセット式カーステレオ、又はＭＤ式カーステレオ、又はＣＤ式カーステレオのオーディオコントロールパネルであることを特徴とする請求項１のカバー。
【請求項３】
カバーを上部、下部に分けて、パネルを設置可能としたことを特徴とする請求項１、又は請求項２のカバー。
【発明の詳細な説明】
【技術分野】
【０００１】  本発明は車載オーディオ設置ボックスパネルに設置した高価な、埋め込み式カーテレビ、又は埋め込み式カーナビゲーション、又は埋め込み式カーステレオなどのコントロールパネルのカバーに関するものであり、カバーの形状に工夫を加えることにより高価な、埋め込み式カーテレビ、又は埋め込み式カーナビゲーション、又は埋め込み式カーステレオなどを隠すためのものである。
【背景技術】
【０００２】  従来から高価な、埋め込み式カーテレビ、又は埋め込み式カーナビゲーション、又は埋め込み式カーステレオなどは車載オーディオ設置ボックスパネルに設置され、なおかつ剥き出しになっている。
【発明の開示】
【発明が開示しようとする課題】
【０００３】  しかし、従来のような剥き出しの車載オーディオ設置ボックスパネルに設置した、埋め込み式カーテレビ、又は埋め込み式カーナビゲーション、又は埋め込み式カーステレオなどのコントロールパネルは、車外から簡単に識別できるため、いわゆる車上荒し等の窃盗被害が数多く発生している。本発明は車載オーディオ設置ボックスパネルに設置されている埋め込み式カーテレビ、又は埋め込み式カーナビゲーション、又は埋め込み式カーステレオなどの窃盗被害の可能性を軽減することを課題とする。
【課題を解決する手段】
【０００４】  この課題を解決するための請求項１の発明は、埋め込み式カーテレビ、又は埋め込み式カーナビゲーション、又は埋め込み式カーステレオなどの高価なオプション設備を設置していない状態にみせかけることのできるカバーをつけることで窃盗被害を軽減することができる。
【０００５】  また請求項２の発明は請求項１のカバー部分に一般的でかつ高価な仕様でない、カセット式カーステレオ、又はＭＤ式カーステレオ、又はＣＤ式カーステレオなどの見せ掛けのオーディオコントロールパネルをダミーとして取り付けることにより、より擬似的に見せ掛けることができる。ここで言う一般的でかつ高価な仕様でないとは３０，０００円以下のオーディオ装置のことを言う。
【０００６】  請求項３の発明は請求項２の一般的でかつ高価な仕様でない、カセット式カーステレオ、又はＭＤ式カーステレオ、又はＣＤ式カーステレオなど見せ掛けのダミーオーディオコントロールパネルの取り付け部分を上部・下部の入れ替えを可能としている。設置パターンのバラエティ化を図り、既成の防犯グッズであることを悟られないようにすることができる。
【発明の効果】
【０００７】  本発明により、車外から簡単に認識することが可能であった車載オーディオ設置ボックスパネルに設置された高価な、埋め込み式カーテレビ、又は埋め込み式カーナビゲーション、又は埋め込み式カーステレオなどを、請求項１・２・３で覆うダミーカバーを覆うように装着することにより、車外から簡単に車載オーディオ設置ボックスパネルの埋め込み式カーテレビ、又は埋め込み式カーナビゲーション、又は埋め込み式カーステレオ等のオプション認識することができなくなるため、オプション設備の窃盗を軽減することができる。
【発明を実施するための最良の形態】
【０００８】  図１は車載オーディオ設置ボックスパネル５に埋め込み式カーナビゲーションカーステ１・６のオプションのコントロールパネル１が剥き出しに設置され、剥き出しのコントロールパネル１を覆うように車載オーディオコントロールパネル防犯カバーベース２を設置しその上部に一般的でかつ高価な仕様でない、カセット式カーステレオのダミーオーディオコントロールパネル３を取り付け下部にダミーフタ４を取り付けたパターンの断面図である。同図で示すように、車載オーディオコントロールパネル防犯カバーベース２と一般的でかつ高価な仕様でない、カセット式カーステレオのダミーオーディオコントロールパネル３とダミーフタ４で、剥き出しのコントロールパネル１を覆うことにより外観では車載オーディオ設置ボックスパネル５に一般的でかつ高価でないオーディオ装置しか設置していないように見える。ここで言う、埋め込み式カーナビゲーション１・６は埋め込み式カーテレビ、又は埋め込み式カーステレオでもよい。また、一般的でかつ高価な仕様でない、カセット式カーステレオのダミーオーディオコントロールパネルはＭＤ式カーステレオ、又はＣＤ式カーステレオでもよい。また、上部と下部の取り付けは逆でもよい。【０００９】  図２は一般的な車載オーディオ設置ボックスパネルに擬似したことを特徴とする、車載オーディオコントロールパネル防犯カバーベース２の正面右斜め下からみた図である。同図に示すように、車載オーディオコントロールパネル防犯カバーベース２を一般的な車載オーディオ設置ボックスパネルに擬似したことで既成の防犯グッズであることを悟られないようにすることができる。【００１０】  図２のカバー部分の素材は一般的にオーディオ設置ボックスパネルなどに使用されているものと同様のプラスチック系やビニール系が望ましい。
【産業上の利用可能性】
【００１１】  本発明に係る車載オーディオコントロールパネル防犯カバーは工業的に量産することが可能であるため、産業上の利用可能性を有する。
【図面の簡単な説明】
【００１２】
【図１】    車載オーディオ設置ボックスパネル５に埋め込み式カーテレビ又は埋め込み式カーナビゲーション又は埋め込み式カーステレオ等のオプション１・６が設置され、剥き出し部分のコントロールパネル１を覆うように車載オーディオコントロールパネルカバーベース２を設置する。車載オーディオコントロールパネルカバーベース２の上部に一般的でかつ高価な仕様でないカセット式カーステレオ又はＭＤ式カーステレオ又はＣＤ式カーステレオなどのダミーコントロールパネル３を取り付け、下部にダミーフタ４を取り付けた状態の正面中央を切断し、その横からの断面図である。
【図２】    図１の車載オーディオコントロールパネルカバーベース２だけを正面右斜め下からみた図である。
【図３】    図２の車載オーディオコントロールパネルカバーベース２の上部に一般的でかつ高価な仕様でないカセット式カーステレオ又はＭＤ式カーステレオ又はＣＤ式カーステレオなどのダミーコントロールパネル３下部にダミーフタ４を設置したパターンの車載オーディオコントロールパネル防犯カバーの図である。
【符号の説明】
【００１３】        １・・・・埋め込み式カーテレビ、又は埋め込み式カーナビゲーション、又は埋め込み式カーステレオ等オプションのコントロールパネル
２・・・・車載オーディオコントロールパネルカバーベース
３・・・・一般的でかつ高価な仕様でないカセット式カーステレオ又はＭＤ式カーステレオ又はＣＤ式カーステレオなどのダミーコントロールパネル
４・・・・ダミーフタ
５・・・・車載オーディオ設置ボックスパネル。
６・・・・埋め込み式カーテレビ、又は埋め込み式カーナビゲーション、又は埋め込み式カーステレオ等オプションの埋め込み部分
【図１】
2007161223.tif 000003
【図２】
2007161223.tif 000004
【図３】
2007161223.tif 000005